(57)【要約】【課題】本発明の目的は、フックが相手材を傷付けてしまうことを防ぎ信頼性の高い動力工具を提供することである。【解決手段】  駆動源と、駆動源を収容するハウジングと、ハウジングに設けられたフックと、を備えた動力工具において、フックの側面に穴部を設け、穴部に弾性体を着脱自在に設け、弾性体を装着した状態で弾性体がフックの側面より外側に位置することを特徴とする。【選択図】図３
2009066722.tif 000002
【特許請求の範囲】
【請求項１】
駆動源と、
該駆動源を収容するハウジングと、
該ハウジングに設けられたフックと、
を備えた動力工具において、
該フックの側面に穴部を設け、該穴部に弾性体を着脱自在に設け、該弾性体を装着した状態で該弾性体が該フックの側面より外側に位置することを特徴とする動力工具。
【請求項２】
該フックの表面に弾性体を設けることで該フックを弾性体で覆ったことを特徴とする請求項１記載の動力工具。
【発明の詳細な説明】
【技術分野】
【０００１】
本発明は、作業者の腰ベルト等に掛止可能なフック部を有する動力工具に関するものである。
【背景技術】
【０００２】
従来より、作業者の腰ベルト等に動力工具を掛止させるためのフック１が設けられている動力工具が存在する（例えば特許文献１）。
【０００３】
【特許文献１】特開２００２−２５４３５８号公報
【発明の開示】
【発明が解決しようとする課題】
【０００４】
特許文献１に記載のフックは、動力工具本体から突出した状態で配置されている。従って、狭い場所でのねじ締め作業等の際に、フックが作業中に周辺の部材に接触して、周辺の部材に傷を付けてしまうという問題があった。
【０００５】
また、動力工具を横にして床等においた時にフックが、床等と接触し床等に傷をつけてしまうという問題があった。
【０００６】
また、動力工具を建物の屋根等の傾斜している所に置いた時に、フックが傾斜面と接触してしまい滑りやすく、動力工具が傾斜面からずり落ちてしまうという問題があった。
【課題を解決するための手段】
【０００７】
上記課題を解決するために、駆動源と、駆動源を収容するハウジングと、ハウジングに設けられたフックと、を備えた動力工具において、フックの側面に穴部を設け、穴部に弾性体を着脱自在に設け、弾性体を装着した状態で弾性体がフックの側面より外側に位置することを特徴とする。
【０００８】
また、該フックの表面に弾性体を設けることでフックを弾性体で覆ったことを特徴とする。
【発明の効果】
【０００９】
請求項１記載の発明によれば、狭い場所での作業中にフックが周辺の部材に接触しても、フックと周辺の部材が直接接触しないため、周辺の部材を傷つけることがない。
【００１０】
また、動力工具を横にして床等においた時に、フックと床等が直接接触しなしため、床等に傷をつけることがない。
【００１１】
また、本体を建物の屋根等の傾斜している所に置いた時に、フックと傾斜面が直接接触しないため、動力工具が傾斜面からずり落ちてしまうことがない。
【００１２】
請求項２記載の発明によれば、フックを弾性体で覆ったことによりさらに確実に請求項１記載の発明の効果を得ることができる。
【発明を実施するための最良の形態】
【００１３】
本発明の第１の実施形態に係る発明を図１乃至図４を用いて説明する。図１は弾性体を装着していない状態を示した本発明の第１の実施形態に係る側面図、図２は弾性体を装着した状態を示した本発明の第１の実施形態に係る側面図、図３は本発明の第１の実施形態に係る正面図、図４は本発明の第１の実施形態に係る動力工具を屋根等の傾斜面に横置きした状態を示した図である。
【００１４】
図１乃至図４においては動力工具の一例として、インパクトドライバを示している。ハウジング２及びプロテクタ３等の外枠を有するインパクトドライバは略Ｔ字形状を成している。ハウジング２によって形成される本体胴体部４には電気或いは空気式の駆動源であるモ−タ（図示省略）や減速機構部を構成する遊星ギヤ部（図示省略）等を収容している。本体導体部４と一体に設けられているハンドル握り部５にはモ−タに電力を供給するためのトリッガスイッチ６やバッテリ７の接続端子と電気的に接続される接点（図示省略）等が収容されている。ハウジング２に当接して配置されるプロテクタ３内にはモ−タの回転動力を打撃力に変換するための打撃機構部（図示省略）及びビット等を保持するための先端工具保持部８等が収容されている。
【００１５】
また、ハウジングには弾性体であるエラストマ部４ａを設けている。エラストマ部４ａを設けることにより、動力工具の見栄えを良くする、動力工具を横置きにした時に床等にエラストマ部４ａが当接し床等の傷つきを防止することができるという効果がある。
【００１６】
また、作業者の腰ベルト等に動力工具を掛止させるためのフック１が設けられている。フック１はハウジング２内部に設けられたナット（図示省略）とねじ９によりハウジング２に固定されている。なお、フック１には穴部１ａが設けられている。
【００１７】
また、フック１は薄肉で強度を保つ為に、鉄で作られることが多く、腐食防止のため且つ見栄えを良くするためにメッキを施している。
【００１８】
フック１の穴部１ａには弾性体１０を嵌め込んで設けている。弾性体１０はフック１の穴部１ａに着脱自在である。なお、図３に示したようにフック１に弾性体１０を装着した状態で弾性体１０がフック１の側面より外側に位置している。
【００１９】
従って、狭い場所での作業中にフックが周辺の部材に接触しても、弾性体１０と周辺の部材が接触することになり、フックと周辺の部材が直接接触しないため、周辺の部材を傷つけることがない。従って、信頼性の高い動力工具を提供することができる。
【００２０】
また、動力工具を横にして床等においた時に、弾性体１０と床等が接触することになり、フックと床等が直接接触しなしため、床等に傷をつけることがない。従って、信頼性の高い動力工具を提供することができる。
【００２１】
また、作業者が作業を終え動力工具を収納ケースに収めた時に、弾性体１０とケースのリブが接触することになり、フックがケースのリブと直接接触しないため、メッキが剥がれることがない。従って、鉄製のフックの腐食を防止することができると共にメッキが剥れることで見栄えが低下することのない動力工具を提供することができる。
【００２２】
また、図４に示したように動力工具を建物の屋根等の傾斜している所１１に置いた時に、弾性体１０と傾斜面１１が接触することになり、フック１と傾斜面１１が直接接触しないため、屋根等の傾斜面１１に傷をつけることがない。さらに、本体胴体部４の外側のエラストマ部４ａとフックに装着した弾性体１０が傾斜面１０と接触することになる。従って、エラストマ部４ａ、弾性体１０と傾斜面との間の摩擦により動力工具が傾斜面からずり落ちてしまうことを防止することができる。従って、信頼性の高い動力工具を提供することができる。
【００２３】
なお、第１の実施形態においてはフック１の穴部１ａの３つの内の２つの穴部に弾性体１０を装着した例を示したが、穴部１ａの個数と弾性体１０を装着する個数は適宜選択することができる。
【００２４】
本発明の第２の実施形態に係る発明を図５、図６を用いて説明する。なお、図５、図６においても、フック以外の構成については、第１の実施形態と同様である。従って従来技術を示した図１、図２と同様の符号を付し説明は省略する。
【００２５】
図５は本発明の第２の実施形態に係る側面図、図６は本発明の第２の実施形態に係る正面図である。
【００２６】
図５、図６に示した第２の実施形態においては、フック１の表面に弾性体１０を設けることでフック１を弾性体１０で覆っている。
【００２７】
従って、確実に第１の実施例の効果を得ることができる。
【００２８】
なお、第１及び第２の実施形態においては動力工具の一例としてインパクトドライバを用いて説明したが、ディスクグラインダ、ドリル、丸鋸、釘打機等その他の動力工具にも適用可能である。
【図面の簡単な説明】
【００２９】
【図１】本発明の第１の実施形態に係る動力工具の側面図。
【図２】本発明の第１の実施形態に係る動力工具の側面図。
【図３】本発明の第１の実施形態に係る動力工具の正面図。
【図４】本発明の第１の実施形態に係る動力工具を傾斜面に置いた時の図。
【図５】本発明の第２の実施形態に係る動力工具の側面図。
【図６】本発明の第２の実施形態に係る動力工具の正面図。
【符号の説明】
【００３０】
フック１、穴部１ａ、ハウジング２、プロテクタ３、本体胴体部４、エラストマ部４ａ、ハンドル握り部５、トリッガスイッチ６、バッテリ７、先端工具保持部８、ねじ９、弾性体１０、傾斜面１１である。
【図１】
2009066722.tif 000003
【図２】
2009066722.tif 000004
【図３】
2009066722.tif 000005
【図４】
2009066722.tif 000006
【図５】
2009066722.tif 000007
【図６】
2009066722.tif 000008